(57)【要約】【課題】より限定した範囲における移動通信端末の所在を探索する。【解決手段】Ｓ１０１では、探索装置周辺に存在する基地局からのとまり木チャネル及びそのレベルが調べられる。Ｓ１０２では、位置番号等の情報を含む探索用無線信号と、基地局からのとまり木チャネルを移動通信端末が受信するのを妨害するための妨害用無線信号と、が探索対象方向へ送信される。そして、探索対象方向からの無線信号が受信され、Ｓ１０３では、位置登録要求信号の受信の有無から探索対象方向における移動通信端末の有無が判定される。【選択図】        図３
2004208141.tif 000002
【特許請求の範囲】
【請求項１】
識別情報を含む無線信号の受信結果に基づいて位置登録要求信号を送信する移動通信端末の所在を探索する装置であって、
識別情報を含む探索用無線信号を探索対象方向へ送信する送信部と、
前記探索対象方向からの無線信号を受信する受信部と、
該受信部にて受信した移動通信端末からの位置登録要求信号の受信結果に基づいて、前記探索対象方向における移動通信端末の有無を判定する判定部と、
を備えることを特徴とする移動通信端末探索装置。
【請求項２】
請求項１に記載の移動通信端末探索装置であって、
該装置周辺における識別情報を含む無線信号のチャネルを検出する検出部をさらに備え、
前記送信部は、該装置周辺における識別情報を含む無線信号を移動通信端末が受信するのを妨害するための妨害用無線信号と、該妨害用無線信号より大きいレベルの探索用無線信号と、を送信することを特徴とする移動通信端末探索装置。
【請求項３】
請求項１に記載の移動通信端末探索装置であって、
該装置周辺における識別情報を含む無線信号のチャネルを検出する検出部をさらに備え、
前記送信部は、該検出部にて検出された無線信号と同一チャネルで、かつ該無線信号より大きいレベルの探索用無線信号を送信することを特徴とする移動通信端末探索装置。
【請求項４】
請求項１に記載の移動通信端末探索装置であって、
該装置は、埋設領域内に埋設された移動通信端末の所在を探索する装置であり、
前記送信部から埋設領域内へ伝搬する探索用無線信号の埋設領域外への漏洩を抑制するシールド部をさらに備えることを特徴とする移動通信端末探索装置。
【発明の詳細な説明】
【０００１】
【発明の属する技術分野】
本発明は、移動通信端末の所在を探索する装置に関する。
【０００２】
【従来の技術及び発明が解決しようとする課題】
移動通信においては、一般的に、移動通信端末が基地局に位置登録要求信号を送信することで位置登録を行っている。この位置登録によって、移動通信端末が基地局のカバーするエリア内のどこかの位置に存在しているのを知ることができる。
【０００３】
本発明の目的は、より限定した範囲における移動通信端末の所在を探索することができる移動通信端末探索装置を提供することにある。
【０００４】
【課題を解決するための手段】
第１の本発明に係る移動通信端末探索装置は、識別情報を含む無線信号の受信結果に基づいて位置登録要求信号を送信する移動通信端末の所在を探索する装置であって、識別情報を含む探索用無線信号を探索対象方向へ送信する送信部と、前記探索対象方向からの無線信号を受信する受信部と、該受信部にて受信した移動通信端末からの位置登録要求信号の受信結果に基づいて、前記探索対象方向における移動通信端末の有無を判定する判定部と、を備えることを特徴とする。
【０００５】
本発明によれば、識別情報を含む探索用無線信号を探索対象方向へ送信し、探索対象方向からの移動通信端末の位置登録要求信号の受信結果に基づいて探索対象方向における移動通信端末の有無を判定するので、より限定した範囲における移動通信端末の所在を探索することができる。
【０００６】
第２の本発明に係る移動通信端末探索装置は、第１の本発明に記載の装置であって、該装置周辺における識別情報を含む無線信号のチャネルを検出する検出部をさらに備え、前記送信部は、該装置周辺における識別情報を含む無線信号を移動通信端末が受信するのを妨害するための妨害用無線信号と、該妨害用無線信号より大きいレベルの探索用無線信号と、を送信することを特徴とする。
【０００７】
この構成によれば、装置周辺における識別情報を含む無線信号を移動通信端末が受信するのを妨害するための妨害用無線信号と、妨害用無線信号より大きいレベルの探索用無線信号と、を送信することにより、移動通信端末が基地局からのとまり木チャネルを受信して待ち受け状態にある場合でも、移動通信端末にエリアが変わったと誤認識させて位置登録要求信号を送信させることができる。
【０００８】
第３の本発明に係る移動通信端末探索装置は、第１の本発明に記載の装置であって、該装置周辺における識別情報を含む無線信号のチャネルを検出する検出部をさらに備え、前記送信部は、該検出部にて検出された無線信号と同一チャネルで、かつ該無線信号より大きいレベルの探索用無線信号を送信することを特徴とする。
【０００９】
この構成によれば、装置周辺における識別情報を含む無線信号と同一チャネルで、かつ該無線信号より大きいレベルの探索用無線信号を送信することにより、移動通信端末が基地局からのとまり木チャネルを受信して待ち受け状態にある場合でも、移動通信端末にエリアが変わったと誤認識させて位置登録要求信号を送信させることができる。
【００１０】
第４の本発明に係る移動通信端末探索装置は、第１の本発明に記載の装置であって、該装置は、埋設領域内に埋設された移動通信端末の所在を探索する装置であり、前記送信部から埋設領域内へ伝搬する探索用無線信号の埋設領域外への漏洩を抑制するシールド部をさらに備えることを特徴とする。
【００１１】
この構成によれば、送信部から埋設領域内へ伝搬する探索用無線信号の埋設領域外への漏洩を抑制するシールド部を備えることにより、探索動作時に探索対象以外の移動通信端末に探索用無線信号が到達するのを防止できる。
【００１２】
【発明の実施の形態】
以下、本発明の実施の形態（以下実施形態という）を、図面にしたがって説明する。
【００１３】
図１は、本発明の実施形態に係る移動通信端末探索装置の構成を示すブロック図である。本実施形態の移動通信端末探索装置４０は、例えば瓦礫や土砂等の埋設領域内に埋設された携帯電話等の移動通信端末の所在を探索するための装置であって、検出部１０、送信部１２、受信部１４及び判定部１６を備えている。
【００１４】
検出部１０は、検出回路１３及び検出用アンテナ１１を備えており、探索装置４０周辺における基地局からのとまり木チャネルを検出する。送信部１２は、送信回路１８及び送信用アンテナ２０を備えており、後述する探索用無線信号を探索対象方向へ向けて送信する。受信部１４は、受信回路２２及び受信用アンテナ２４を備えており、探索対象方向からの無線信号を受信する。判定部１６は、受信部１４にて受信した移動通信端末からの位置登録要求信号の受信結果に基づいて、探索対象方向における移動通信端末の有無を判定する。
【００１５】
次に、アンテナ周辺の構成について図２を用いて説明する。
【００１６】
図２は、本実施形態に係る移動通信端末探索装置４０のアンテナ周辺の構成を示し、図２（Ａ）は平面図を示し、図２（Ｂ）は側面図を示す。そして、図２（Ｂ）については、埋設領域３４内に埋設されている移動通信端末３６の探索時のアンテナの配置についても示している。送信用アンテナ２０及び受信用アンテナ２４は、無線信号の送受信が行われる面（図２（Ｂ）における下面）を除いてアンテナ筐体２６によって覆われている。送信用アンテナ２０はケーブル３０を介して送信回路１８と接続されており、受信用アンテナ２４はケーブル３２を介して受信回路２２と接続されている。図２に示すように、アンテナ周辺部のみを移動可能な一体型のユニットとすることで、探索対象方向の変更が容易となる。ここで、アンテナ筐体２６は、電界シールドのために、例えばアルミニウム等の導電材料によって構成されている。そして、送信用アンテナ２０及び受信用アンテナ２４は、いずれも指向性を有するヘリカルアンテナによって構成されている。ただし、指向性を有するアンテナであるならば他の種類のアンテナを用いることもできる。
【００１７】
送信用アンテナ２０から埋設領域３４内の探索対象方向に向けて送信回路１８にて生成された探索用信号が送信され、受信用アンテナ２４により探索対象方向からの無線信号が受信されて受信回路２２に供給される。なお、埋設領域３４内に埋設されている移動通信端末３６の探索時には、図２（Ｂ）に示すように、送信用アンテナ２０及び受信用アンテナ２４は埋設領域表面３４ｓから所定距離はなされて配置される。この所定距離については、アンテナ筐体２６の側面に取り付けられ、探索用信号の送信方向（図２（Ｂ）における下方向）へ延ばされたポール３５によって規定される。これによって、送信用アンテナ２０から送信された無線信号が埋設領域表面３４ｓにて反射し、受信用アンテナ２４でその反射波が受信されるのを抑制している。
【００１８】
本実施形態においては、アンテナ筐体２６の側面全周から探索用信号の送信方向（図２（Ｂ）における下方向）へ延ばされたシールド部としてのシールドカーテン２８が設けられている。シールドカーテン２８は無線信号の漏洩を抑制するための導電材料を含んでいる。シールドカーテン２８によって送信アンテナ２０と埋設領域表面３４ｓとの間に略閉空間が形成されるため、送信用アンテナ２０から埋設領域３４内へ伝搬する無線信号の埋設領域３４外への漏洩を抑制することができる。さらに、シールドカーテン２８については、少なくとも埋設領域表面３４ｓと接触する端部が変形可能であることが好ましく、これによって、埋設領域表面３４ｓに凹凸があっても送信用アンテナ２０からの無線信号の埋設領域３４外への漏洩を効果的に抑制することができる。
【００１９】
次に、探索対象となる移動通信端末３６の動作について説明する。本実施形態においては、移動通信端末３６が送信する位置登録要求信号を利用して移動通信端末３６の探索を行う。
【００２０】
移動通信端末３６は、周辺における基地局からのとまり木チャネルをスキャンして待ち受けチャネルを選択することで待ち受け状態となる。ここで、基地局からのとまり木チャネルには、待ち受け許可レベル、待ち受け劣化レベル、周辺ゾーンとまり木チャネル及び識別情報としての基地局の位置番号等の情報が含まれている。そして、移動通信端末３６は、待ち受けチャネルで報知されている位置番号を検出して記憶する。ここで、移動通信端末３６は、待ち受けチャネルで報知されている位置番号と以前に記憶されている位置番号とが異なる場合は、位置登録要求信号を基地局へ送信する。この位置登録要求信号にはメッセージ種別及び加入者番号等の情報が含まれている。
【００２１】
次に、本実施形態の探索装置４０を用いた移動通信端末３６の探索動作を図３に示すフローチャートにしたがって説明する。
【００２２】
まずステップ（以下Ｓとする）１０１では、検出部１０において、探索装置４０周辺に存在する基地局からのとまり木チャネル及びそのレベルが調べられ、図４（Ａ）に示すように、所定レベル以上のとまり木チャネルが検出される。これによって、探索対象となる移動通信端末３６の待ち受けチャネルが推測される。
【００２３】
次にＳ１０２に進み、送信回路１８において探索用無線信号及び妨害用無線信号が生成され、送信用アンテナ２０から探索用無線信号及び妨害用無線信号が探索対象方向へ向けて送信される。ここで、妨害用無線信号については、図４（Ｂ）に示すように、その帯域幅が検出部１０にて検出した所定レベル以上のとまり木チャネルが存在する範囲より広く、そのレベルが検出部１０にて検出したとまり木チャネルのレベルより大きいことが好ましい。ただし、基地局からのとまり木チャネルを移動通信端末３６が受信するのを妨害できるレベルであれば問題ない。さらに、妨害用無線信号については、その出力の有無を探索動作中に切り換えてもよい。そして、探索用無線信号については、図４（Ｂ）に示すように、そのレベルが妨害用無線信号の同じチャネルにおけるレベルより大きい。また、ここでの探索用無線信号は基地局からのとまり木チャネルと同じ性質の信号であり、待ち受け許可レベル、待ち受け劣化レベル及び探索装置４０を示す位置番号等の情報が含まれている。
【００２４】
ここで、移動通信端末３６が探索対象方向に存在している場合は、移動通信端末３６における基地局からのとまり木チャネルの受信が妨害用無線信号によって妨害される。そして、図４（Ｃ）に示すように、移動通信端末３６ではとまり木チャネルのスキャンをやり直すことで探索用無線信号が受信され、探索用無線信号から探索装置４０を示す位置番号の情報が検出される。移動通信端末３６では、今回検出した探索装置４０の位置番号と以前に検出して記憶されている基地局の位置番号とを比較し、その結果により移動通信端末３６の所在するエリアが変わったという判断が行われる。したがって、移動通信端末３６からは位置登録要求信号が探索装置４０へ送信される。
【００２５】
一方、移動通信端末３６が探索対象方向に存在していない場合は、移動通信端末３６における基地局からのとまり木チャネルの受信が妨害されることはなく、かつ探索用無線信号も受信されない。
【００２６】
受信用アンテナ２４においては、探索対象方向からの無線信号が受信される。ここで、移動通信端末３６が探索対象方向に存在している場合は、移動通信端末３６からの位置登録要求信号が受信される。一方、移動通信端末３６が探索対象方向に存在していない場合は、移動通信端末３６からの位置登録要求信号は受信されない。
【００２７】
次にＳ１０３に進み、判定部１６において、探索対象方向における移動通信端末３６の有無が判定される。ここでは、受信回路２２における位置登録要求信号の検出の有無によって探索対象方向における移動通信端末３６の有無が判定される。受信回路２２にて位置登録要求信号を検出できた場合は、探索対象方向に移動通信端末３６が存在していると判定する。Ｓ１０３において、探索対象方向に移動通信端末３６が存在していると判定された場合は、Ｓ１０４に進み、送信用アンテナ２０からの探索用無線信号及び妨害用無線信号の送信を停止して探索動作を終了する。また、ここでは移動通信端末３６の存在を判定するだけでなく、受信した位置登録要求信号から加入者番号の情報を検出してもよい。
【００２８】
一方、受信回路２２にて位置登録要求信号を検出できない場合は、探索対象方向に移動通信端末３６が存在していないと判定する。Ｓ１０３において、探索対象方向に移動通信端末３６が存在していないと判定された場合は、探索対象方向を変更してＳ１０３の処理を繰り返す。また、ここでは、送信用アンテナ２０からの探索用無線信号及び妨害用無線信号の送信を一旦停止し、場所を変更してＳ１０１以下の処理を再度行ってもよい。
【００２９】
本実施形態においては、探索装置４０の位置番号を含む探索用無線信号を探索対象方向へ送信し、探索対象方向からの移動通信端末３６の位置登録要求信号を受信したか否かを判定することで探索対象方向における移動通信端末３６の有無を判定している。したがって、より限定した範囲における移動通信端末の所在を探索することができる。
【００３０】
さらに、本実施形態においては、探索用無線信号だけでなく、基地局からのとまり木チャネルを移動通信端末３６が受信するのを妨害するための妨害用無線信号も送信している。ここで、移動通信端末３６が探索対象方向に存在している場合は、基地局からのとまり木チャネルの受信が妨害用無線信号によって妨害され、とまり木チャネルのスキャンをやり直すことで探索用無線信号が受信される。このように、基地局と移動通信端末３６との間における通信を妨害用無線信号によって強制的に切り離し、移動通信端末３６に探索用無線信号を受信させることにより、移動通信端末３６にエリアが変わったと誤認識させて位置登録要求信号を送信させることができる。したがって、移動通信端末３６が基地局からのとまり木チャネルを受信して待ち受け状態にある場合でも位置登録要求信号を探索装置４０へ送信させることができる。
【００３１】
また、本実施形態においては、送信用アンテナ２０から探索用無線信号を送信して埋設領域３４内に埋設された移動通信端末３６を探索する際に、送信用アンテナ２０から埋設領域３４内へ伝搬する探索用無線信号の埋設領域３４外への漏洩を導電材料を含んだシールドカーテン２８によって抑制している。したがって、探索動作時に探索対象以外の移動通信端末に探索用無線信号が到達するのを防止できる。
【００３２】
以上の説明においては、探索用無線信号だけでなく妨害用無線信号も送信する場合について説明したが、例えばＳ１０１において所定レベル以上のとまり木チャネルが検出されない場合は、移動通信端末３６が基地局のカバーするエリアの圏外に存在していると判定し、妨害用無線信号を送信せずに探索用無線信号のみを送信用アンテナ２０から送信してもよい。この場合は基地局と移動通信端末３６との間における通信を妨害用無線信号によって強制的に切り離す必要がないため、妨害用無線信号を送信しなくても移動通信端末３６に位置登録要求信号を送信させることができる。このように、本実施形態においては、基地局のカバーするエリアの圏外においても移動通信端末３６の所在を探索することができる。
【００３３】
また、本実施形態においては、Ｓ１０２で妨害用無線信号を送信しないで以下に説明する探索用無線信号を送信してもよい。まず図５（Ａ）に示すように、検出部１０にて検出したとまり木チャネルのうちレベルが高いものを幾つか抽出する（図５（Ａ）では一例として３つのとまり木チャネルを抽出した場合を示す）。次に、図５（Ｂ）に示すように、抽出したとまり木チャネルと同一チャネルで、かつ抽出したとまり木チャネルより大きいレベルの探索用無線信号を送信回路１８にて生成する（図５（Ｂ）では一例として３つの探索用無線信号を生成した場合を示す）。そして、送信回路１８にて生成された探索用無線信号が送信用アンテナ２０から探索対象方向へ向けて送信される。ここでは、複数の探索用無線信号を同時に送信してもよいし、１つずつ順番に送信してもよい。
【００３４】
ここで、移動通信端末３６が探索対象方向に存在している場合は、基地局からのとまり木チャネルより探索用無線信号の方がレベルが大きいので、移動通信端末３６では基地局からのとまり木チャネルは受信されずに探索用無線信号が受信される。ただし、図５（Ｃ）の例で示すように、複数チャネルの探索用無線信号を送信した場合は、複数の探索用無線信号のうちのいずれか１つが受信される。そして、受信された探索用無線信号から探索装置４０を示す位置番号の情報が検出されて移動通信端末３６の所在するエリアが変わったという判断が行われる。したがって、移動通信端末３６からは位置登録要求信号が探索装置４０へ送信される。一方、移動通信端末３６が探索対象方向に存在していない場合は、移動通信端末３６では探索用無線信号が受信されることはなく、基地局からのとまり木チャネルが受信される。
【００３５】
この構成においても、移動通信端末３６が基地局からのとまり木チャネルを受信して待ち受け状態にある場合でも位置登録要求信号を探索装置４０へ送信させることができ、より限定した範囲における移動通信端末の所在を探索することができる。さらに、この構成においては、移動通信端末３６が探索対象方向に存在している場合は、移動通信端末３６がとまり木チャネルのスキャンをやり直すことなく探索用無線信号の受信を行うことができるので、移動通信端末３６の有無の判定に要する時間を短縮することができる。
【００３６】
以上の説明においては、例えば瓦礫や土砂等の埋設領域内に埋設された移動通信端末を探索する場合について説明したが、本発明に係る移動通信端末探索装置は、埋設された移動通信端末の探索という特殊な用途に限らず、一般的な移動通信端末の探索にも用いることができる。
【図面の簡単な説明】
【図１】本発明の実施形態に係る移動通信端末探索装置の構成を示すブロック図である。
【図２】本発明の実施形態におけるアンテナ周辺の構造の概略を示す図である。
【図３】本発明の実施形態における移動通信端末探索処理を説明するフローチャートである。
【図４】本発明の実施形態に係る移動通信端末探索装置から送信される無線信号を説明する図である。
【図５】本発明の実施形態に係る移動通信端末探索装置から送信される無線信号を説明する図である。
【符号の説明】
１０  検出部、１２  送信部、１４  受信部、１６  判定部、１８  送信回路、２０  送信用アンテナ、２２  受信回路、２４  受信用アンテナ、２６  アンテナ筐体、２８  シールドカーテン、４０  探索装置。
【図１】
2004208141.tif 000003
【図２】
2004208141.tif 000004
【図３】
2004208141.tif 000005
【図４】
2004208141.tif 000006
【図５】
2004208141.tif 000007